(57)【要約】  ソース側，ターゲット側切替通信装置、通信システム及びコール切替方法であって、ソース側切替通信装置は、ユーザ端末が現在切り替える必要があるコールタイプを判断し、コールタイプがプリセットタイプであると判断された場合、ソース側切替通信装置は、切替請求情報中に該コールのタイプを示す識別情報を設定し、その後、該切替請求情報をターゲット側切替通信装置に送信し、ターゲット側切替通信装置は、該請求情報に基づいてユーザ端末が現在切り替える必要があるコールタイプを取得し、さらに取得したタイプに応じて対応する切替ストラテジーを選択し、従来、有効にコールタイプを識別することができないため、切替が誤って拒否される状態が発生してしまうのを防止し、それによって切替の成功率を向上させることができる。【選択図】図１
2015527777.tif 000002
【特許請求の範囲】
【請求項１】
ユーザ端末の現在切り替える必要があるコールタイプを判断し、前記コールタイプがプリセットタイプであると判断された場合、切替請求情報中に前記コールタイプを示す識別情報を設定し、その後、前記切替請求情報をターゲット側切替通信装置に送信し、さらにターゲット側切替通信装置によってフィードバックされた切替応答メッセージを受信した後、切替を完成するように前記ユーザ端末をコントロールするように設定されるソース側切替通信装置。
【請求項２】
前記ソース側切替通信装置は、ソースｅＮｏｄｅＢである請求項１に記載のソース側切替通信装置。
【請求項３】
ソースｅＮｏｄｅＢ及びソースモビリティ管理エンティティを含み、
前記ソースｅＮｏｄｅＢは、ユーザ端末の現在切り替える必要があるコールタイプを判断し、前記コールタイプがプリセットタイプであると判断された場合、切替請求情報中に前記コールタイプを示す識別情報を設定し、その後、前記切替請求情報を前記ソースモビリティ管理エンティティに送信し、さらに前記ソースモビリティ管理エンティティによって送信された切替応答メッセージを受信した後、切替を完成するように前記ユーザ端末をコントロールするように設定され、
前記ソースモビリティ管理エンティティは、前記切替請求情報を受信して前記ターゲット側切替通信装置に送信し、さらに前記ターゲット側切替通信装置によってフィードバックされた切替応答メッセージを受信して前記ソースｅＮｏｄｅＢに送信するように設定される請求項１に記載のソース側切替通信装置。
【請求項４】
ソース無線アクセスネットワークアクセス機器及びソースコアネットワークを含み、
前記ソース無線アクセスネットワークアクセス機器は、ユーザ端末の現在切り替える必要があるコールタイプを判断し、前記コールタイプがプリセットタイプであると判断された場合、切替請求情報中に前記コールタイプを示す識別情報を設定し、その後、前記切替請求情報を前記ソースコアネットワークに送信し、さらに前記ソースコアネットワークによって送信された切替応答メッセージを受信した後、切替を完成するように前記ユーザ端末をコントロールするように設定され、
前記ソースコアネットワークは、前記切替請求情報を受信して前記ターゲット側切替通信装置に送信し、さらに前記ターゲット側切替通信装置によってフィードバックされた切替応答メッセージを受信して前記ソース無線アクセスネットワークアクセス機器に送信するように設定される請求項１に記載のソース側切替通信装置。
【請求項５】
ソース側切替通信装置が送信した切替請求情報を受信し、該請求情報に基づいてユーザ端末の現在切り替える必要があるコールタイプを取得し、取得したタイプに応じて相応する切替ストラテジーを選択し、前記ソース側切替通信装置に切替応答メッセージを送信するように設定されるターゲット側切替通信装置。
【請求項６】
前記ターゲット側切替通信装置は、ターゲットｅＮｏｄｅＢである請求項５に記載のターゲット側切替通信装置。
【請求項７】
ターゲットモビリティ管理エンティティ及びターゲットｅＮｏｄｅＢを含み、
前記ターゲットモビリティ管理エンティティは、前記ソース側切替通信装置によって送信された切替請求情報を受信し、且つ受信した切替請求情報を前記ターゲットｅＮｏｄｅＢに送信し、さらにターゲットｅＮｏｄｅＢによって送信された切替応答メッセージを前記ソース側切替通信装置に送信するように設定され、
前記ターゲットｅＮｏｄｅＢは、前記ターゲットモビリティ管理エンティティによって送信された切替請求情報を受信し、該請求情報に基づいてユーザ端末の現在切り替える必要があるコールタイプを取得し、取得したタイプに応じて相応する切替ストラテジーを選択し、前記ターゲットモビリティ管理エンティティによって前記ソース側切替通信装置に切替応答メッセージを送信するように設定される請求項５に記載のターゲット側切替通信装置。
【請求項８】
ターゲットコアネットワーク及びターゲット無線アクセスネットワークアクセス機器を含み、
前記ターゲットコアネットワークは、前記ソース側切替通信装置が送信した切替請求情報を受信し、且つ受信した切替請求情報を前記ターゲット無線アクセスネットワークアクセス機器に送信し、さらにターゲットコアネットワークによって送信された切替応答メッセージを前記ソース側切替通信装置に送信するように設定され、
前記ターゲット無線アクセスネットワークアクセス機器は、前記ターゲットコアネットワークによって送信された切替請求情報を受信し、該請求情報に基づいてユーザ端末の現在切り替える必要があるコールタイプを取得し、取得したタイプに応じて相応する切替ストラテジーを選択し、前記ターゲットコアネットワークを介して前記ソース側切替通信装置に切替応答メッセージを送信するように設定される請求項５に記載のターゲット側切替通信装置。
【請求項９】
請求項１〜４のいずれか一つに記載のソース側切替通信装置及び請求項５〜８のいずれか一つに記載のターゲット側切替通信装置を含み、前記ソース側切替通信装置と前記ターゲット側切替通信装置とが通信接続される通信システム。
【請求項１０】
ソース側切替通信装置が、ユーザ端末の現在切り替える必要があるコールのタイプを判断し、前記コールタイプがプリセットタイプであると判断された場合、切替請求情報中に前記コールタイプを示す識別情報を設定し、前記切替請求情報をターゲット側切替通信装置に送信することと、
前記ターゲット側切替通信装置が、前記切替請求情報を受信し、該請求情報に基づいてユーザ端末の現在切り替える必要があるコールタイプを取得し、取得したタイプに応じて相応する切替ストラテジーを選択し、前記ソース側切替通信装置に切替応答メッセージを送信することと、
前記ソース側切替通信装置が、ターゲット側切替通信装置によってフィードバックされた切替応答メッセージを受信した後、切替を完成するように前記ユーザ端末をコントロールすること、とを含むコール切替方法。
【請求項１１】
前記プリセットタイプは緊急コールタイプであり、前記識別情報は緊急コール識別情報である請求項１０に記載のコール切替方法。
【発明の詳細な説明】
【技術分野】
【０００１】
本発明は切替通信技術分野に関し、具体的にソース側，ターゲット側切替通信装置、通信システム及びコール切替方法に関する。
【背景技術】
【０００２】
ユーザ端末（ＵＥ）アクセスネットワークは、緊急コールサービスを受ける時、無線リソースコントロール（ＲＲＣ、Ｒａｄｉｏ  Ｒｅｓｏｕｒｃｅ  Ｃｏｎｔｒｏｌ）接続確立請求メッセージ中にＲＲＣ接続確立原因値を含み、今回のアクセスが緊急コールであるかどうかを指示する。３ＧＰＰプロトコルは、緊急コールタイプのユーザに対して、ネットワーク側は該ユーザに対するアクセス及び切替の制限を無視する必要があると規定している。従来のＬＴＥシステム中において、ネットワーク側は、緊急コールのサービスに用いられる特定の割り当て及びリテンション優先度（ＡＲＰ、Ａｌｌｏｃａｔｉｏｎ  ａｎｄ  Ｒｅｔｅｎｔｉｏｎ  Ｐｒｉｏｒｉｔｙ）を事前に留保する必要があり、ＬＴＥシステム内のステーション間の切替過程中において、進化型ノードＢ（ｅＮｏｄｅＢ、ｅｖｏｌｖｅｄ  Ｎｏｄｅ  Ｂ）は、ＵＥが確立したＥ−ＲＡＢ（Ｅ−ＵＴＲＡＮ  Ｒａｄｉｏ  Ａｃｃｅｓｓ  Ｂｅａｒｅｒ、Ｅ−ＵＴＲＡＮ無線アクセスベアラ、Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、進化型汎用地上無線アクセスネットワーク）のＡＲＰ情報に基づいて、ＵＥが緊急コールサービスを有するかどうかを判断することができる。しかしながら、緊急コールＡＲＰの事前留保方法に対して、従来では明確的な標準規定を有していない。設備による実現の時、どの種類のＡＲＰを事前に留保して緊急コールに用いるか、各メーカ及びオペレータの実現方式及び設定標準は統一な標準を有していないため、地上波公共移動通信ネットワーク（ＰＬＭＮ、Ｐｕｂｌｉｃ  Ｌａｎｄ  Ｍｏｂｉｌｅ  Ｎｅｔｗｏｒｋ）間または通信システム間の切替過程中において、切替のターゲット側ネットワークは、ＵＥが緊急コールサービスを有するかどうかに対して正確に判断することができず、更に緊急コールのＵＥに対しても、切替の制限情報を応用し、緊急コールＵＥの切替を拒否する状態が発生する。
【発明の概要】
【発明が解決しようとする課題】
【０００３】
本発明の実施例が解決しようとする主な技術問題は、ソース側，ターゲット側切替通信装置、通信システム及びコール切替方法を提供し、有効にコールタイプを識別することができないため、切替が誤って拒否され、更に切替成功率が低くなる問題を解決する。
【課題を解決するための手段】
【０００４】
上記技術問題を解決するために、下記の技術的解決手段を用いる。
【０００５】
ソース側切替通信装置であって、前記ソース側切替通信装置は、ユーザ端末が現在切り替える必要があるコールタイプを判断し、前記コールタイプがプリセットタイプであると判断された場合、切替請求情報中に前記コールタイプを示す識別情報を設定し、その後、前記切替請求情報をターゲット側切替通信装置に送信し、さらにターゲット側切替通信装置がフィードバックした切替応答メッセージを受信した後、前記ユーザ端末が切替を完成するようにコントロールするように設定される。
【０００６】
選択的に、前記ソース側切替通信装置は、ソースｅＮｏｄｅＢであってもよい。
【０００７】
選択的に、前記ソース側切替通信装置は、ソースｅＮｏｄｅＢ及びソースモビリティ管理エンティティを含んでいてもよく、そのうち、
前記ソースｅＮｏｄｅＢは、ユーザ端末が現在切り替える必要があるコールタイプを判断し、前記コールのタイプがプリセットタイプであると判断された場合、切替請求情報中に前記コールタイプを示す識別情報を設定し、その後、前記切替請求情報を前記ソースモビリティ管理エンティティに送信し、さらに前記ソースモビリティ管理エンティティが送信した切替応答メッセージを受信した後、前記ユーザ端末が切替を完成するようにコントロールするように設定され、
前記ソースモビリティ管理エンティティは、前記切替請求情報を受信して前記ターゲット側切替通信装置に送信し、さらに前記ターゲット側切替通信装置がフィードバックした切替応答メッセージを受信して前記ソースｅＮｏｄｅＢに送信するように設定される。
【０００８】
選択的に、前記ソース側切替通信装置は、ソース無線アクセスネットワークアクセス機器及びソースコアネットワークを含んでいてもよく、そのうち、
前記ソース無線アクセスネットワークアクセス機器は、ユーザ端末が現在切り替える必要があるコールタイプを判断し、前記コールタイプがプリセットタイプであると判断された場合、切替請求情報中に前記コールタイプを示す識別情報を設定し、その後、前記切替請求情報を前記ソースコアネットワークに送信し、さらに前記ソースコアネットワークが送信した切替応答メッセージを受信した後、前記ユーザ端末が切替を完成するようにコントロールするように設定され、
前記ソースコアネットワークは、前記切替請求情報を受信して前記ターゲット側切替通信装置に送信し、さらに前記ターゲット側切替通信装置がフィードバックした切替応答メッセージを受信して前記ソース無線アクセスネットワークアクセス機器に送信するように設定される。
【０００９】
ターゲット側切替通信装置であって、前記ターゲット側切替通信装置は、ソース側切替通信装置が送信した切替請求情報を受信し、該請求情報に基づいてユーザ端末が現在切り替える必要があるコールタイプを取得し、取得したタイプに応じて相応する切替ストラテジーを選択し、前記ソース側切替通信装置に切替応答メッセージを送信するように設定される。
【００１０】
選択的に、前記ターゲット側切替通信装置は、ターゲットｅＮｏｄｅＢであってもよい。
【００１１】
選択的に、前記ターゲット側切替通信装置は、ターゲットモビリティ管理エンティティ及びターゲットｅＮｏｄｅＢを含んでいてもよく、そのうち、
前記ターゲットモビリティ管理エンティティは、前記ソース側切替通信装置が送信した切替請求情報を受信し、且つ受信した切替請求情報を前記ターゲットｅＮｏｄｅＢに送信し、さらにターゲットｅＮｏｄｅＢが送信した切替応答メッセージを前記ソース側切替通信装置に送信するように設定され、
前記ターゲットｅＮｏｄｅＢは、前記ターゲットモビリティ管理エンティティが送信した切替請求情報を受信し、該請求情報に応じてユーザ端末が現在切り替える必要があるコールタイプを取得し、取得したタイプに応じて相応する切替ストラテジーを選択し、前記ターゲットモビリティ管理エンティティにより前記ソース側切替通信装置に切替応答メッセージを送信するように設定される。
【００１２】
選択的に、前記ターゲット側切替通信装置は、ターゲットコアネットワーク及びターゲット無線アクセスネットワークアクセス機器を含んでいてもよく、そのうち、
前記ターゲットコアネットワークは、前記ソース側切替通信装置が送信した切替請求情報を受信し、且つ受信した切替請求情報を前記ターゲット無線アクセスネットワークアクセス機器に送信し、さらにターゲットコアネットワークが送信した切替応答メッセージを前記ソース側切替通信装置に送信するように設定され、
前記ターゲット無線アクセスネットワークアクセス機器は、前記ターゲットコアネットワークが送信した切替請求情報を受信し、該請求情報に基づいてユーザ端末が現在切り替える必要があるコールタイプを取得し、取得したタイプに応じて相応する切替ストラテジーを選択し、前記ターゲットコアネットワークにより前記ソース側切替通信装置に切替応答メッセージを送信するように設定される。
【００１３】
通信システムであって、以上に記載のいずれかのソース側切替通信装置及び以上に記載のいずれかのターゲット側切替通信装置を含み、前記ソース側切替通信装置は前記ターゲット側切替通信装置に通信接続される。
【００１４】
コール切替方法であって、
ソース側切替通信装置が、ユーザ端末が現在切り替える必要があるコールタイプを判断し、前記コールタイプがプリセットタイプであると判断された場合、切替請求情報中に前記コールタイプを示す識別情報を設定し、前記切替請求情報をターゲット側切替通信装置に送信すること、
前記ターゲット側切替通信装置が、前記切替請求情報を受信し、該請求情報に基づいてユーザ端末が現在切り替える必要があるコールタイプを取得し、取得したタイプに応じて相応する切替ストラテジーを選択し、前記ソース側切替通信装置に切替応答メッセージを送信すること、
前記ソース側切替通信装置が、ターゲット側切替通信装置がフィードバックした切替応答メッセージを受信した後、前記ユーザ端末が切替を完成するようにコントロールすること、とを含む。
【００１５】
選択的に、前記プリセットタイプは緊急コールタイプであってもよく、前記識別情報は緊急コール識別情報であってもよい。
【発明の効果】
【００１６】
上記技術的解決手段のソース側，ターゲット側切替通信装置、通信システム及びコール切替方法では、ソース側切替通信装置は、ユーザ端末が現在切り替える必要があるコールタイプを判断し、コールタイプがプリセットタイプであると判断された場合、ソース側切替通信装置は切替請求情報中に該コールタイプを示す識別情報を設定し、その後、該切替請求情報をターゲット側切替通信装置に送信し、ターゲット側切替通信装置は、該請求情報に応じてユーザ端末が現在切り替える必要があるコールのタイプを取得し、さらに取得したタイプに応じて対応する切替ストラテジーを選択し、ソース側切替通信装置と協力して切替を完成する。すなわち、上記技術的解決手段におけるソース側切替通信装置は、コールタイプがプリセットタイプであると判断された場合、該タイプの識別子を切替請求メッセージ中に設定することができ、ターゲット側切替通信装置は該識別情報に基づいて該コールタイプを取得し、さらに対応する切替ストラテジーを選択することができ、有効にコールタイプを識別することができないため、切替が誤って拒否される状態が発生してしまうのを防止し、それによって切替の成功率を向上させることができる。
【図面の簡単な説明】
【００１７】
【図１】図１は、本発明による一実施例のコール切替方法のフローチャートの模式図である。
【図２】図２は、本発明による一実施例の通信システムの構造の模式図である。
【図３】図３は、本発明による一実施例のＥ−ＵＴＲＡＮシステム内部で切り替える緊急コールサービス処理のフローチャート１である。
【図４】図４は、本発明による一実施例のＥ−ＵＴＲＡＮシステム内部で切り替える緊急コールサービス処理のフローチャート２である。
【図５】図５は、本発明による一実施例のＥ−ＵＴＲＡＮシステムから他のシステムに切り替えた緊急コールサービス処理のフローチャートである。
【図６】図６は、本発明による一実施例の他のシステムからＥ−ＵＴＲＡＮシステムに切り替えた緊急コールサービス処理のフローチャートである。
【発明を実施するための形態】
【００１８】
以下、具体的な実施形態により図面を参照しながら、本発明を更に詳細に説明する。
【００１９】
図１を参照し、本実施例では、ユーザ端末がコールサービスを実行する過程中において、信号品質が現在サービスしているセルよりよい他のセルまたはシステム（ターゲット側ネットワークと称する）を検出して、該ターゲット側ネットワークに切り替える必要がある場合に、次に述べるステップを含んでいる。
ステップ１０１：  ソース側切替通信装置は、ユーザ端末が現在切り替える必要があるコールタイプを判断し、それがプリセットタイプであるかどうかを判断し、判断結果がＹＥＳである場合、ステップ１０２に移行し、もしそうでなければ、ステップ１０８に移行する。
ステップ１０２：  ソース側切替通信装置は、切替請求情報中に該コールのコールタイプを示す識別情報を設定する。
ステップ１０３：  ソース側切替通信装置は、設定された切替請求情報をターゲット側切替通信装置に送信する。
ステップ１０４：  ターゲット側切替通信装置は、切替請求情報を受信する。
ステップ１０５：  ターゲット側切替通信装置は、受信した切替請求情報に含まれる識別情報に基づいて、ユーザ端末が現在切り替える必要があるコールタイプを取得する。
ステップ１０６：  ターゲット側切替通信装置は、取得したタイプに応じて相応する切替ストラテジーを選択し、前記ソース側切替通信装置に切替応答メッセージを送信する。
ステップ１０７：  ソース側切替通信装置は、ターゲット側切替通信装置がフィードバックした切替応答メッセージを受信した後、ユーザ端末が切替を完成するようにコントロールする。
ステップ１０８：  ソース側切替通信装置は、正常ルートで切替請求メッセージをターゲット側切替通信装置に送信し、切替を完成する。
【００２０】
以上から明らかなように、本実施例におけるソース側切替通信装置は、コールタイプがプリセットタイプであると判断された場合、該タイプの識別子を切替請求メッセージ中に設定することができ、ターゲット側切替通信装置は、該識別情報に基づいて該コールのタイプを取得し、さらに対応する切替ストラテジーを選択することができ、従来の、有効にコールタイプを識別することができないため、切替が誤って拒否される状態が発生してしまうのを防止し、それによって切替の成功率を向上させることができる。
【００２１】
本実施例では、上記プリセットタイプは実際の状況に基づいて選択設定してもよく、異なるタイプのコールに対応し、そのタイプを識別するための識別情報に対応してもよい。本発明をよりよく理解するために、以下、本実施例においてプリセットタイプを緊急コールタイプとし、識別情報を緊急コール識別情報とすることを例とし、本発明を更に詳細に説明する。
【００２２】
図２を参照し、本実施例における通信システムはユーザ端末、ソース側切替通信装置及びターゲット側切替通信装置を含み、そのうち、
ソース側切替通信装置は、ユーザ端末が現在切り替える必要があるコールタイプを判断し、コールタイプが緊急コールタイプであると判断した場合、切替請求情報中に緊急コールタイプを示す識別情報を設定し、その後、該切替請求情報をターゲット側切替通信装置に送信するように設定され、
ターゲット側切替通信装置は、該請求情報に基づいてユーザ端末が現在切り替える必要があるコールタイプを取得し、さらに取得したタイプに応じて対応する切替ストラテジーを選択し、ソース側切替通信装置と協力して切替を完成するように設定される。
【００２３】
ただし、本実施例では、ユーザ端末が開始した切替はネットワークシステム内部の切替であってもよく、異なるシステムの間の切替であってもよく、異なる応用環境下で、本実施例におけるソース側切替通信装置及びターゲット側切替通信装置は実際の応用環境に基づき選択設定してもよい。
例えば、システム内部で切り替える場合、ソース側切替通信装置はソースｅＮｏｄｅＢであってもよく、ターゲット側切替通信装置はターゲットｅＮｏｄｅＢであってもよい。
又は、ソース側切替通信装置はソースｅＮｏｄｅＢ及びソースモビリティ管理エンティティ（ＭＭＥ：Ｍｏｂｉｌｉｔｙ  Ｍａｎａｇｅｍｅｎｔ  Ｅｎｔｉｔｙ）を含んでいてもよく、ターゲット側通信装置はターゲットｅＮｏｄｅＢを含んでいてもよく、ＭＭＥが変化した場合、さらにソースＭＭＥ及びターゲットｅＮｏｄｅＢと相互に協力するターゲットＭＭＥを含んでいてもよい。この時、ソースｅＮｏｄｅＢは、ユーザ端末が現在切り替える必要があるコールタイプを判断し、該コールのタイプがプリセットタイプ（すなわち緊急コールタイプ）であると判断した場合、切替請求情報中に前記コールタイプを示す識別情報を設定し、その後、前記切替請求情報を前記ソースＭＭＥに送信するように設定され、ソースＭＭＥが送信した切替応答メッセージを受信した後、ユーザ端末が切替を完成するようにコントロールするようにさらに設定される。ソースＭＭＥは、ソースｅＮｏｄｅＢが送信した切替請求情報を受信して、ターゲット側切替通信装置に送信することに用いられ、ターゲット側切替通信装置がフィードバックした切替応答メッセージを受信して、前記ソースｅＮｏｄｅＢに送信するようにさらに設定される。ターゲットＭＭＥは、ソースＭＭＥが送信した切替請求情報を受信し、且つ受信した切替請求情報をターゲットｅＮｏｄｅＢに送信することに用いられ、ターゲットｅＮｏｄｅＢが送信した切替応答メッセージをソース側切替通信装置に送信するようにさらに設定される。ターゲットｅＮｏｄｅＢは、ターゲットＭＭＥが送信した切替請求情報を受信し、該請求情報に基づいてユーザ端末が現在切り替える必要があるコールタイプを取得し、取得したタイプに応じて相応する切替ストラテジーを選択し、ターゲットＭＭＥにより前記ソース側切替通信装置に切替応答メッセージを送信することに用いられる。ターゲットＭＭＥを含まない場合、ターゲットｅＮｏｄｅＢは、直接にソースＭＭＥとともに上記情報インタラクションを完成することができる。
【００２４】
本実施例におけるソース側切替通信装置は、ソースｅＮｏｄｅＢ及びソースＭＭＥを含む場合、異なるシステムの間の切替に用いられてもよく、この場合、ターゲット側切替通信装置は、ターゲット無線アクセスネットワーク（ＲＡＮ、Ｒａｄｉｏ  Ａｃｃｅｓｓ  Ｎｅｔｗｏｒｋ）アクセス機器及びターゲットコアネットワークを含んでいてもよい。異なるシステムの間の切替に用いられる場合、本実施例におけるソース側切替通信装置は、ソースＲＡＮアクセス機器及びソースコアネットワークを含んでいてもよく、この場合のターゲット側切替通信システムは、ターゲットｅＮｏｄｅＢ及びターゲットＭＭＥを含んでいてもよい。
【００２５】
以上から明らかなように、本実施例では、ソース側切替通信装置及びターゲット側切替通信装置は、具体的な応用環境に基づいて具体的に配置されてもよく、よりよく理解するために、以下、Ｅ−ＵＴＲＡＮシステムを例として詳細に説明する。
【００２６】
図３を参照し、該図はＥ−ＵＴＲＡＮシステム内部でのＸ２切替緊急コールサービス処理のフローチャートである。この場合のソース側切替通信装置はソースｅＮｏｄｅＢであり、ターゲット側切替通信装置はターゲットｅＮｏｄｅＢであり、具体的な処理フローは、次のとおりとなる。
ステップ３０１：  緊急コールサービスを行っているＵＥは、測定報告メッセージ（Ｍｅａｓｕｒｅｍｅｎｔ  Ｒｅｐｏｒｔ）を報告し、ＵＥの測定した信号品質が現在のサービスセルよりよいセルを指示する。
ステップ３０２：  ソースｅＮｏｄｅＢは、ＵＥの測定報告に基づいてターゲットセルを確定し、更にＸ２切替を開始するように意思決定し、具体的に、ソースｅＮｏｄｅＢは、ＵＥの現在のコールタイプが緊急コールタイプであると判断し、切替請求（ＨＡＮＤＯＶＥＲ  ＲＥＱＵＥＳＴ）メッセージ中に緊急コールタイプの識別情報を設定し、その後、設定された切替請求メッセージをターゲットｅＮｏｄｅＢに送信し、該メッセージに含まれる緊急コール識別情報は、今回の切り替えたＵＥが緊急コールするＵＥであることを指示する。
ステップ３０３：  ターゲットｅＮｏｄｅＢは、該切替請求メッセージを受信した後、該メッセージにおける識別情報に基づいて今回の切り替えたＵＥが緊急コールするＵＥであることが分かるようになり、更に緊急コールＵＥのストラテジーを選択し、切替のターゲット側処理を行う。
ステップ３０４：  ターゲットｅＮｏｄｅＢは、ソースｅＮｏｄｅＢに切替応答メッセージ（ＨＡＮＤＶＯＥＲ  ＲＥＱＵＥＳＴ  ＡＣＫＮＯＷＬＥＤＧＥ）をフィードバックする。
ステップ３０５：  ソースｅＮｏｄｅＢは、ＵＥにＲＲＣ接続再設定メッセージ（ＲＲＣ  ｃｏｎｎｅｃｔｉｏｎ  ｒｅｃｏｎｆｉｇｕｒａｔｉｏｎ）を送信し、ＵＥがソースｅＮｏｄｅＢから離れてターゲットｅＮｏｄｅＢにアクセスするように指示する。
ステップ３０６：  ＵＥは、ターゲットｅＮｏｄｅＢにＲＲＣ接続再設定完了メッセージ（ＲＲＣ  ｃｏｎｎｃｅｃｔｉｏｎ  ｒｅｃｏｎｆｉｇｕｒａｔｉｏｎ  ｃｏｍｐｌｅｔｅ）を送信し、切替が成功すると、ＵＥは、ターゲットｅＮｏｄｅＢ側において緊急コールサービスを継続する。
【００２７】
図４を参照し、該図はＥ−ＵＴＲＡＮシステム内部でのＳ１切替緊急コールサービス処理のフローチャートであり、この場合のソース側切替通信装置は、ソースｅＮｏｄｅＢ及びソースＭＭＥを含み、ターゲット側切替通信装置は、ターゲットｅＮｏｄｅＢを含み、切替過程中において、ＭＭＥが変化した場合、ターゲット側切替通信装置は、ターゲットＭＭＥをさらに含み、具体的な処理フローは、次のとおりとなる 。
ステップ４０１：  緊急コールサービスを行っているＵＥは、測定報告メッセージ（Ｍｅａｓｕｒｅｍｅｎｔ  Ｒｅｐｏｒｔ）を報告し、ＵＥの測定した信号品質が現在のサービスセルよりよいセルを指示する。、
ステップ４０２：  ソースｅＮｏｄｅＢは、ＵＥの測定報告に基づいてターゲットセルを確定し、更にＳ１切替を開始するように意思決定し、具体的に、ソースｅＮｏｄｅＢは、ＵＥの現在のコールタイプが緊急コールタイプであると判断し、切替請求（ＨＡＮＤＯＶＥＲ  ＲＥＱＵＥＳＴ）メッセージ中に緊急コールタイプの識別情報を設定し、次に設定された切替請求メッセージをソースＭＭＥに送信し、該メッセージに含まれる緊急コール識別情報は、今回の切り替えたＵＥが緊急コールするＵＥであることを指示する。
ステップ４０３：  ソースＭＭＥは、受信した切替請求メッセージをターゲットｅＮｏｄｅＢに送信し、ＭＭＥが変化した場合は、ソースＭＭＥは、ターゲットＭＭＥに切替請求メッセージを送信し、さらにターゲットＭＭＥは、ターゲットｅＮｏｄｅＢに送信する。
ステップ４０４：  ターゲットｅＮｏｄｅＢは、該切替請求メッセージを受信した後、該メッセージにおける識別情報に基づいて今回の切り替えたＵＥが緊急コールするＵＥであることが分かるようになり、更に緊急コールＵＥのストラテジーを選択し、切替のターゲット側処理を行う。
ステップ４０５：  ターゲットｅＮｏｄｅＢは、ソースＭＭＥに切替応答メッセージ（ＨＡＮＤＶＯＥＲ  ＲＥＱＵＥＳＴ  ＡＣＫＮＯＷＬＥＤＧＥ）をフィードバックし、ＭＭＥが変化した場合は、ターゲットｅＮｏｄｅＢは、ターゲットＭＭＥに切替応答メッセージを送信し、さらにターゲットＭＭＥは、ソースＭＭＥに切替請求応答メッセージを送信する。
ステップ４０６：  ソースＭＭＥは、ソースｅＮｏｄｅＢに切替応答（ＨＡＮＤＯＶＥＲ  ＣＯＭＭＡＮＤ）メッセージを送信し、ソースｅＮｏｄｅＢが切り替え始めるように指示する。
ステップ４０７：  ソースｅＮｏｄｅＢは、ＵＥにＲＲＣ接続再設定メッセージ（ＲＲＣ  ｃｏｎｎｅｃｔｉｏｎ  ｒｅｃｏｎｆｉｇｕｒａｔｉｏｎ）を送信し、ＵＥがソースｅＮｏｄｅＢから離れてターゲットｅＮｏｄｅＢにアクセスするように指示する。
ステップ４０８：  ＵＥは、ターゲットｅＮｏｄｅＢにＲＲＣ接続再設定完了メッセージ（ＲＲＣ  ｃｏｎｎｃｅｃｔｉｏｎ  ｒｅｃｏｎｆｉｇｕｒａｔｉｏｎ  ｃｏｍｐｌｅｔｅ）を送信し、切替が成功すると、ＵＥは、ターゲットｅＮｏｄｅＢ側において緊急コールサービスを継続する。
【００２８】
以上は、いずれもシステム内での切替を例として本発明を説明したが、以下、システムの間での切替を例として、本発明について更に説明する。
【００２９】
図５を参照し、該図はＥ−ＵＴＲＡＮシステムから他のシステムに切り替えた緊急コールサービス処理のフローチャートである。この場合、ソース側切替通信装置は、ソースｅＮｏｄｅＢ、ソースＭＭＥを含む。ターゲット側切替通信装置は、ターゲットコアネットワーク及びターゲット無線アクセスネットワーク（ＲＡＮ、Ｒａｄｉｏ  Ａｃｃｅｓｓ  Ｎｅｔｗｏｒｋ）アクセス機器を含み、具体的な処理フローは、次のとおりとなる 。
ステップ５０１：  緊急コールサービスを行っているＵＥは、測定報告メッセージ（Ｍｅａｓｕｒｅｍｅｎｔ  Ｒｅｐｏｒｔ）を報告し、ＵＥの測定した信号品質が現在のサービスセルよりよいセルを指示する。
ステップ５０２：  ソースｅＮｏｄｅＢは、ＵＥの測定報告に基づいてターゲットセルを確定し、更に異なるシステムの切替を開始するように意思決定し、具体的に、ソースｅＮｏｄｅＢは、ＵＥの現在のコールタイプが緊急コールタイプであると判断し、切替請求（ＨＡＮＤＯＶＥＲ  ＲＥＱＵＥＳＴ）メッセージ中に緊急コールタイプの識別情報を設定し、その後、設定された異なるシステム切替請求メッセージをソースＭＭＥに送信し、該メッセージに含まれる緊急コール識別情報は、今回の切り替えたＵＥが緊急コールするＵＥであることを指示する。
ステップ５０３：  ソースＭＭＥは、受信した異なるシステム切替請求メッセージをターゲットコアネットワークに送信する。
ステップ５０４：  ターゲット側コアネットワークは、切替請求メッセージをターゲットＲＡＮ（Ｒａｄｉｏ  Ａｃｃｅｓｓ  Ｎｅｔｗｏｒｋ、無線アクセスネットワーク）アクセス機器に送信し、該メッセージに含まれる緊急コール識別情報は、今回の切り替えたＵＥが緊急コールするＵＥであることを指示する。
ステップ５０５：  ターゲットＲＡＮアクセス機器は、該切替請求メッセージを受信した後、該請求メッセージに含まれる識別情報に基づいて今回に切り替えたＵＥが緊急コールするＵＥであることが分かるようになり、緊急コールＵＥのストラテジーを選択し、切替のターゲット側処理を行う。
ステップ５０６：  ターゲットＲＡＮアクセス機器は、ターゲットコアネットワークに切替応答メッセージを送信し、切替用意が完了したことを指示する。
ステップ５０７：  ターゲットコアネットワークは、ソースＭＭＥに異なるシステム切替応答メッセージをフィードバックする。
ステップ５０８：  ソースＭＭＥは、ソースｅＮｏｄｅＢに該異なるシステム切替応答（ＨＡＮＤＯＶＥＲ  ＣＯＭＭＡＮＤ）メッセージを送信し、ソースｅＮｏｄｅＢが切り替え始めるように指示する。
ステップ５０９：  ソースｅＮｏｄｅＢは、ＵＥにＲＲＣ接続再設定メッセージ（ＲＲＣ  ｃｏｎｎｅｃｔｉｏｎ  ｒｅｃｏｎｆｉｇｕｒａｔｉｏｎ）を送信し、ＵＥがソースｅＮｏｄｅＢから離れてターゲットＲＡＮアクセス機器にアクセスするように指示する。
ステップ５１０：  ＵＥは、ターゲットＲＡＮアクセス機器にＲＲＣ接続再設定完了メッセージ（ＲＲＣ  ｃｏｎｎｃｅｃｔｉｏｎ  ｒｅｃｏｎｆｉｇｕｒａｔｉｏｎ  ｃｏｍｐｌｅｔｅ）を送信し、切替が成功すると、ＵＥは、ターゲットＲＡＮアクセス機器に緊急コールサービスを継続する。
【００３０】
図６を参照し、該図はその他システムからＥ−ＵＴＲＡＮシステムに切り替えた緊急コールサービス処理のフローチャートである。この場合、ソース側切替通信装置は、ソースＲＡＮ、ソースコアネットワークを含む。ターゲット側切替通信装置は、ターゲットＭＭＥ及びターゲットｅＮｏｄｅＢを含み、具体的な処理フローは、次のとおりとなる 。
ステップ６０１：  緊急コールサービスを行っているＵＥは、測定報告メッセージ（Ｍｅａｓｕｒｅｍｅｎｔ  Ｒｅｐｏｒｔ）を報告し、ＵＥの測定した信号品質が現在のサービスセルよりよいセルを指示する。
ステップ６０２：  ソース側ＲＡＮ（Ｒａｄｉｏ  Ａｃｃｅｓｓ  Ｎｅｔｗｏｒｋ、無線アクセスネットワーク）アクセス機器は、ＵＥの測定報告に基づいてターゲットセルを確定し、更に異なるシステムの切替を開始するように意思決定し、ソース側ＲＡＮアクセス機器は、ＵＥの現在のコールタイプが緊急コールタイプであると判断し、切替請求（ＨＡＮＤＯＶＥＲ  ＲＥＱＵＥＳＴ）メッセージ中に緊急コールタイプの識別情報を設定し、その後、設定された切替請求メッセージをソース側コアネットワークに送信し、メッセージに含まれる緊急コール識別情報は、今回の切り替えたＵＥが緊急コールするＵＥであることを指示する。
ステップ６０３：  ソース側コアネットワークは、異なるシステム切替請求メッセージをターゲットＭＭＥに送信する。
ステップ６０４：  ターゲットＭＭＥは、切替請求（ＨＡＮＤＯＶＥＲ  ＲＥＱＵＥＳＴ）メッセージをターゲットｅＮｏｄｅＢに送信し、メッセージ中には緊急コール識別情報を含まれる。
ステップ６０５：  ターゲットｅＮｏｄｅＢは、該切替請求メッセージを受信した後、今回の切り替えたＵＥが緊急コールするＵＥであることが分かるようになり、緊急コールＵＥのストラテジーを選択し、切替のターゲット側処理を行う。
ステップ６０６：  ターゲットｅＮｏｄｅＢは、ターゲットＭＭＥに切替応答（ＨＡＮＤＯＶＥＲ  ＲＥＱＵＥＳＴ  ＡＣＫＮＯＷＬＥＤＧＥ）メッセージを送信し、切替用意が完了したことを指示する。
ステップ６０７：  ターゲットＭＭＥは、ソースコアネットワークに異なるシステム切替応答メッセージをフィードバックする。
ステップ６０８：  ソースコアネットワークは、ソースＲＡＮアクセス機器に異なるシステム切替応答メッセージを送信し、ソースＲＡＮアクセス機器が切り替え始めるように指示する。
ステップ６０９：  ソースＲＡＮアクセス機器は、ＵＥにエアインタフェース上の切替シグナリングを送信し、ＵＥがソース側ＲＡＮアクセス機器から離れてターゲットｅＮｏｄｅＢにアクセスするように指示する。
ステップ６１０：  ＵＥは、ターゲットｅＮｏｄｅＢにＲＲＣ接続再設定完了メッセージ（ＲＲＣ  ｃｏｎｎｃｅｃｔｉｏｎ  ｒｅｃｏｎｆｉｇｕｒａｔｉｏｎ  ｃｏｍｐｌｅｔｅ）を送信し、切替が成功すると、ＵＥは、ターゲットｅＮｏｄｅＢ側において緊急コールサービスを継続する。
【００３１】
明らかなように、本発明は、ソース側切替通信装置が、コールタイプがプリセットタイプであると判断した場合、該タイプの識別子を切替請求メッセージ中に設定することができ、ターゲット側切替通信装置は、該識別情報に基づいて該コールのタイプを取得し、さらに対応する切替ストラテジーを選択し、従来の、有効にコールタイプを識別することができないため、切替が誤って拒否される状態が発生してしまうのを防止し、それによって切替の成功率を向上させることができる。
【００３２】
以上の内容は、具体的な実施形態を参照しながら本発明に対して行った更なる詳細な説明であり、本発明の具体的な実施はこれらの説明に限定されていない。本発明の所属技術分野の一般な技術者にとって、本発明の趣旨から逸脱しない前提で、さらにいくつかの簡単な変化または交換を行ってもよく、いずれも本発明の保護範囲に属すると見なされるべきである。
【産業上の利用可能性】
【００３３】
上記技術的解決手段のソース側，ターゲット側切替通信装置、通信システム及びコール切替方法は、ソース側切替通信装置は、ユーザ端末が現在切り替える必要があるコールタイプを判断し、コールのタイプがプリセットタイプであると判断された場合、ソース側切替通信装置は、切替請求情報中に該コールタイプを示す識別情報を設定し、その後、該切替請求情報をターゲット側切替通信装置に送信し、ターゲット側切替通信装置は、該請求情報に基づいてユーザ端末が現在切り替える必要があるコールのタイプを取得し、さらに取得したタイプに応じて対応する切替ストラテジーを選択し、ソース側切替通信装置と協力して切替を完成する。すなわち、上記技術的解決手段におけるソース側切替通信装置は、コールタイプがプリセットタイプであると判断された場合、該タイプの識別子を切替請求メッセージ中に設定することができ、ターゲット側切替通信装置は、該識別情報に基づいて該コールタイプを取得し、さらに対応する切替ストラテジーを選択することができ、有効にコールタイプを識別することができないため、切替が誤って拒否される状態が発生してしまうのを防止し、それによって切替の成功率を向上させることができる。従って本発明は、強い産業上の利用可能性を有する。
【図１】
2015527777.tif 000003
【図２】
2015527777.tif 000004
【図３】
2015527777.tif 000005
【図４】
2015527777.tif 000006
【図５】
2015527777.tif 000007
【図６】
2015527777.tif 000008
【国際調査報告】
2015527777.tif 000009
2015527777.tif 000010
2015527777.tif 000011
2015527777.tif 000012